【事件の表示】
　平成７年特許願第３０７１７６号「コネクタ及びそのコネクタを備えた配膳車」拒絶査定不服審判事件〔平成９年６月１０日出願公開、特開平　９−１５３３８５〕について、次のとおり審決する。
【結　論】
　本件審判の請求は、成り立たない。
【理　由】
第１　手続の経緯
　本件に係る出願は、特許法第４１条に基づく優先権主張を伴う平成７年１１月２７日（優先日：平成７年９月２６日、出願番号：特願平７−２４８１２０号）の特許出願であって、平成１７年４月１１日付け（発送日：平成１７年４月１９日）で拒絶査定がなされ、これに対し、同年５月１９日に拒絶査定不服審判が請求されると共に同日付けで明細書を対象とした手続補正書が提出されたものである。
　　
　　
第２　平成１７年５月１９日付けの手続補正書による補正についての補正却下の決定
［補正却下の決定の結論］
　　平成１７年５月１９日付けの手続補正書による補正を却下する。　
　　　　　　　　　　　　
［理由］
１．本件補正発明
　平成１７年５月１９日付けの手続補正書による補正（以下、「本件補正」という。）により、特許請求の範囲の請求項１は、次のとおりに補正された。　
　　
「ピン端子を備えると共に取り付けケース内に収納配置されたプラグと、上記ピン端子の先端に接触する接触バネを備えたコンセントとを着脱自在に相互に磁着させて成るコネクタにて給電部分が構成されており、給電線の先部に配された上記コンセントが接続されることとなるプラグを配膳車本体に設け、上記コンセントが給電線及びこのコンセントを覆うようなカバーを有し、このカバーが、一端に給電線が挿通保持される給電線保持部を備えると共に、他端にコンセントが収納保持されるコンセント保持部を備えて主体が構成されており、上記給電線保持部の給電線挿通孔内に内方に向けて複数の突片が突出されていると共に、給電線が挿通配置されたカバーの基端部の外周面に沿って凹設された凹所内に外面がカバーの外面と面一となるようにコードクリップが設置され、この内側にスペーサーが入れられる空間を備えて成ることを特徴とするコネクタを備えた配膳車。」
　　
　これに対し、平成１６年１月１９日付け手続補正書の特許請求の範囲の請求項１０には次のように記載されている。
　　　
「内側にスペーサーが入れられる空間を備えたコードクリップであることを特徴とする請求項９記載のコネクタを備えた配膳車。」　　
　　
　また、請求項１０で引用された請求項９には、
　　
「給電線の先部に設けられるコンセントが、給電線及びコンセントを覆うようなカバーを有し、給電線が挿通配置されたカバーの基端部の外周面に沿って凹設された凹所内に外面がカバーの外面と面一となるようにコードクリップが設置されたものであることを特徴とする請求項８記載のコネクタを備えた配膳車。」　　
　　
と記載され、この請求項９で引用された請求項８には、　
　　
「給電線の先部に配されたコンセントが接続されることとなるプラグを配膳車本体に設けて成ることを特徴とする請求項７記載のコネクタを備えた配膳車。」　　
　　
と記載され、さらに請求項８で引用された請求項７には、　　
　　
「給電部分がピン端子を備えると共に取り付けケース内に収納配置されたプラグと、上記ピン端子の先端に接触する接触バネを備えたコンセントとを着脱自在に相互に磁着させて成るコネクタにて構成されていることを特徴とするコネクタを備えた配膳車。」
　　
と記載されている。
　これらからすると、平成１６年１月１９日付け手続補正書の特許請求の範囲の請求項７〜１０には、「上記給電線保持部の給電線挿通孔内に内方に向けて複数の突片が突出されている」構成について、記載がないものである。
　してみると、上記補正は、請求項１０に記載した発明を特定するために必要な事項である「カバー」について「上記給電線保持部の給電線挿通孔内に内方に向けて複数の突片が突出されている」との限定を付加するものであって、平成１８年改正前特許法第１７条の２第４項第２号の特許請求の範囲の減縮を目的とするものに該当する。　　
　　　　　　　　　　
　そこで、本件補正後の前記請求項１に記載された発明（以下、「本件補正発明」という。）が特許出願の際独立して特許を受けることができるものであるか否か（平成１８年改正前特許法第１７条の２第５項において準用する特許法第１２６条第５項の規定に適合するか否か）について以下に検討する。　　
　　　　　　　　　　　　　　　
２．刊行物
（１）刊行物１
　本願の出願前に頒布された刊行物である特開平７−１９６２６２号公報（以下、「刊行物１」という。）には、図面と共に次の事項が記載されている。　　
　　　　　　　　
ア．「【産業上の利用分野】この発明は、電源供給用のコードの収納、繰り出しに適した自動昇降コードリール装置に関するものである。特に、病院等の公共施設における適温給食配膳車に電源を供給する用途に適するものである。」（段落【０００１】）　　
　　　　　　　　　　　　
イ．「【従来の技術】従来、電源の接続は、床面や壁面に設置したコンセント等の接続器具、または、工場における天井懸垂式の接続器具が用いられているが、用途によっては、これらの接続方式は適切なものではなかった。例えば、病院などでは、多数の入院患者の配膳のため、給食配膳車が使用されるが、適温で配膳するために最近では配膳車庫内の温度を一定に保つ機能を有する適温給食配膳車が使用されることが多くなってきた。これらの適温配膳車は比較的大型の上、多数台が並べられて保温稼働されるため、電源を供給することが極めて困難であった。壁面や床面に多数のコンセントを増設することは多額の工事費がかかるうえ、配膳車をコンセントに接続する作業も困難であった。工場のように天井に設置した配電レールから多数の電源コードを懸垂しておく方式であれば接続作業は容易になるが、電源コードが常時下がっているため、病院等の美観に適しているとはいえず、不適切であった。」（段落【０００２】）　　
　　　　　　　　　　　　
ウ．「【実施例】以下、図面を参照して本発明の実施例を説明する。装置本体（１）は略箱形を呈したケースに収納され、上面が天井（３３）に設置固定できる構造となっている。装置本体（１）の上部中央の支軸固定台（２）に立てた支軸（３）はリール体の回転軸として作用する。軸受け（４）を受けるハウジング（５）には絶縁素材からなる円盤状のリール基盤（６）が取り付けられている。リール基盤（６）の外周部には電源コード（２０）を巻き取るリール（７）が取り付けられている。該リール基盤（６）の側面には同心円状に複数の電極レール（１２）が埋め込まれている。実施例の場合では３相電源にアース線を加えた４本の電極レールが埋め込まれている。各電極レールはリール基盤の反対側面に導出した端子（１５）により電源コード（２０）の終端に接続されている。一方、リール基盤（６）の下部中心には大プーリー（８）が配置されており、リールの外部に配置したモーター（１０）の回転軸に取り付けられた小プーリー（１１）との間にベルト（９）が掛けられている。また、電源コード（２０）の他端部は１組の案内ローラー（１６）によって、リール（７）の外部に導かれ、さらに別の案内ローラー（１８）および（１９）によって本装置の外部下方に案内され、終端部には電源を供給される装置との接続のためのレセプタクル（２１）が備わっている。」（段落【０００６】）　　
　　　　　　　　　　
　また、上記記載事項から、電源を供給される装置としての配膳車（適温配膳車）側にレセプタクル（２１）に差込むピン端子を備えるプラグが配されており、それらレセプタクル（２１）とプラグを着脱自在として成るコネクタにて給電部分が構成されることは、明らかである。　　
　　　　　　　　　
　以上の事項及び図面の記載内容からみて、刊行物１には次の発明が記載されていると認める。（以下、「刊行物１記載の発明」という。）　
　　　　　　　　　　　
「ピン端子を備えるプラグと、上記ピン端子と電気的に接続されるレセプタクル（２１）とを着脱自在として成るコネクタにて給電部分が構成されており、電源コード（２０）の先部に配された上記レセプタクル（２１）が接続されることとなるプラグを配膳車本体側に設けたコネクタを備えた配膳車。」　　
　　　　　　　　　　
（２）刊行物２
　原査定の拒絶の理由に示された特開昭６２−１４７６７９号公報（以下、「刊行物２」という。）には、図面と共に次の事項が記載されている。　　　　　　　　　　　　　　　　　
エ．「以下、本発明の一実施例を添付図面にもとづいて説明する。第１図〜第３図において、８は電気オーブン等の調理器本体で、その一部に電源を供給または他に接続するためにインレット９を設けている。このインレット９内には、両端に磁性板１０を配設し、かつ収納室１２に収納された永久磁石１１が配設されている。前記磁性板１０は器体外に一部を突出させて設けられている。１３はターミナル板１４にスポット溶接等により一体に固定され、かつ弾性力を有する一対の接触ばねで、この一対の接触ばね１３はターミナル板１４から供給される電源を外部に接続するように設けられ、かつ接触部には接点１５を備えており、この接点１５は前記磁性板１０の両側に形成した孔１６に対応して設けられている。」（第２頁右上欄第１１行〜左下欄第５行）　
　　
オ．「さらにこのインレットカバー１７の上部にはアース導通が器体に成されているアースばね１８が取付けられている。このアースばね１８は、一対の接触ばね１３と同様に器体側に押し込んだ時に付勢力を発生または増加させるため、接触部における確実な接続状態が維持され、かつ接点部の開閉動作に対しても耐久性に優れたものとなる。１９はこのアースばね１８に対応して設けられたアース孔である。」（第２頁左下欄第１１行〜第１９行）　
　　　
カ．「２０は前記インレット９に接続され、かつ電源を他のヒーター等に供給する連結コードで、この連結コード２０の一端にはプラグ２１が設けられている。２２はプラグボデーで、このプラグボデー２２はメラミンフェノール等の絶縁性、耐トラッキング性に優れた材料で構成されており、前記連結コード２０の電源端子は一対の電源ピン２３にスポット溶接等で接続されている。この電源ピン２３は前記接触ばね１３に対向して配設され、かつプラグボデー２２より外方に突出している。」（第２頁左下欄第１９行〜右下欄第９行）　
　　
キ．「２４は吸着板で、この吸着板２４は前記磁性板１０に対向して配設され、かつ前記アースばね１８のアース孔１９に対向してアースピン２５が吸着板に固定されている。」（第２頁右下欄第１０行〜第１３行）
　　
ク．「上記構成において、次にその作用を説明する。連結コード２０のプラグ２１を器体のインレット９に挿入すると、磁性板１０が吸引板２４を引張るため、プラグ２１はインレット９に係合支持される。この時、電源ピン２３は接触ばね１３を押圧し、接点圧力を適度に保ちながら電源に接続されるため、接触不良は発生しない。」（第３頁左上欄第１行〜第７行）
　　
　上記記載事項から、磁性板１０と吸着板２４との吸着が磁着であることが理解できる。　　
　　　　　　　
　上記記載事項及び図面の記載内容からみて、刊行物２には次の発明が記載されていると認める。（以下、「刊行物２記載の発明」という。）　　　　　　　　　　　　　　　　　　　　　　　
「電源ピン２３及びアースピン２５を備えたプラグ２１と、上記電源ピン２３及びアースピン２５の先端に接触する接触ばね１３及びアースばね１８を備えたインレット９とを着脱自在に磁着させて成るコネクタにて給電部分が構成された電源接続装置。」
　　
（３）刊行物３
　同じく、原査定の拒絶の理由に示された実願平４−８０３８８号（実開平６−４４０４５号）のＣＤ−ＲＯＭ（以下、「刊行物３」という。）には、図面と共に次の事項が記載されている。　　
　　　　　　　　　　　　
ケ．「本考案第１の実施例の防水型コードコネクタ１は、図１に示すように、複数の栓刃３を有するコネクタ本体部１ｂと、該コネクタ本体部１ｂに嵌合する外殻キャップ部１ａとから成っており、電線コード２０を挿通する開口部６を有する挿通筒部９を前記外殻キャップ部１ａに有している。該防水型コードコネクタ１は、前記外殻キャップ部１ａの挿通筒部９に電線コード２０を挿通し、該電線コード２０を前記コネクタ本体部１ｂに電気的接続したのち、前記外殻キャップ部１ａと前記コネクタ本体部１ｂとを嵌合及び捻子止めするようになっている。」（段落【００１１】）　　
　　　　　　　　　　　　
コ．「又、前記挿通筒部９の内壁には、前記外殻キャップ部１ａの内部への水の侵入を防止する防水弁２ａ，２ｂが多段に渡って複数周設されており、電線コード２０の挿通したときに該電線コード２０に密着するようになっている。又、該防水型コードコネクタ１には、前記挿通筒部９を締め付ける２枚プレートタイプのコードグリップ５を、前記挿通筒部９の一部外周に設けられた巻装溝部９ａに巻装するようになっている。該コードグリップ５によって前記挿通筒部９を締め付けることにより、電線コード２０と前記防水弁２ａ，２ｂとが押圧密着される。」（段落【００１２】）　　
　　　　　　　　　
サ．「前記防水弁２ａ，２ｂは、前記挿通筒部９の内壁面に対して外殻キャップ部１ａ内部方向を向くよう斜めに突出しており、前記開口部６から挿通される電線コード２０を前記外殻キャップ部１ａ内部へ導くと共に、前記電線コード２０を前記外殻キャップ部１ａから引き抜こうとする力が働いたときに抵抗となって、前記挿通筒部９に差し込んだ電線コード２０が前記外殻キャップ部１ａから容易には引き抜けないようにしている。」（段落【００１３】）　　
　　　　　　　　　　　　　
シ．「本考案第２の実施例の防水型コードコネクタ１１の構成は、前記第１の実施例の防水型コードコネクタ１と基本的に同様であり、図５に示すように、複数の栓刃受け１１ｃを有するコネクタ本体部１１ｂと、該コネクタ本体部１１ｂに嵌合する外殻キャップ部１１ａとから成っている。又、前記防水弁２ａ，２ｂの配設位置等については前記第１の実施例と同様である。」（段落【００１９】）　　
　　　　　　　　　　
　上記記載事項及び図面の記載内容からみて、刊行物３には次の発明が記載されていると認める。（以下、「刊行物３記載の発明」という。）　　　　　　　　　　　　　　　　　
「栓刃受け１１ｃを有するコネクタ本体部１１ｂが電線コード２０及びこの栓刃受け１１ｃを有するコネクタ本体部１１ｂを覆うようなカバーを有し、このカバーが、一端に電線コード２０が挿通保持される挿通筒部９を備えると共に、他端に栓刃受け１１ｃを有するコネクタ本体部１１ｂが収納保持される外殻キャップ部１１ａを備えて主体が構成されており、上記挿通筒部９の挿通孔内に内方に向けて複数の防水弁２ａ，２ｂが突出されていると共に、電線コード２０が挿通配置されるカバーの基端部の外周面に沿って凹設された巻装溝部９ａ内にコードグリップ５が設置されたコネクタ。」
　　
（４）刊行物４
　本願の出願前に頒布された刊行物である実公昭３９−３２３３４号公報（以下、「刊行物４」という。）には、図面と共に次の事項が記載されている。　　
　　　　　　　　　　　　　　
ス．「本考案はゴムキャップ内部に水が浸入することを防止するためにゴムキャップの導線挿入口を締め付ける締付け装置に関するものである。」（第１頁左欄第２０行〜第２２行）
　　
セ．「その構成について述べるとゴムキャップ本体１の上部に設けられた導線挿入口４の頸部２の周側に細い凹溝３を設け、該凹溝３にループ状に形成した金属性の環５を嵌着すると共に締付けバンド７にて該環５を頸部２の凹溝３に圧着させて成るゴムキャップにおける導線挿入口の締付け装置の構造である。なお上記ループ状の環５は締付けバンド７の締付けによる遊び部６を設けている。さらに締付けバンド７にループ状の環５が常に中央部にて圧着されるように該環５がそい入る溝１８を形成している。」（第１頁左欄第２３行〜第３３行）
　　
ソ．「本考案は前記のようにゴムキャップ本体１の導線挿入口４の頸部２に設けられた細い凹溝３にループ状の金属性の環５を嵌着すると共に締付バンド７にて該環５を頸部２の凹溝１３に圧着させるので締付バンド７の締付けによって該締付バンド７が楕円形に変形してもその内側の環５の両端が締付バンド７の内面を摺動して増々頸部２を絞って導線Ｔと導線挿入口４は完全に密着されて容易に水滴が流入しないのである。さらに該金属性のループ状の環５が頸部２を局部的に押圧するからその押圧力は強力であって導線Ｔと導線挿入口４とを確実に密着させるのである。」（第１頁右欄第７行〜第１８行）
　
　また、第１図、第２図の記載内容から、ゴムキャップ本体がコネクタを構成する部材を覆うものであることは明らかである。　　
　　　　　　　　　　　　　
　上記事項及び図面の記載内容からみて、刊行物４には次の発明が記載されていると認める。（以下、「刊行物４記載の発明」という。）　　　
　　　　　　　　　　　
「コネクタを構成する部材を覆うようなゴムキャップを有し、このゴムキャップが、一端に導線Ｔが挿通保持される導線挿入口４の頸部２を備えると共に、他端にコネクタを構成する部材を収納保持するゴムキャップ本体１を備えて主体が構成されており、導線Ｔが挿通配置されたゴムキャップの頸部２の外周面に沿って凹設された凹溝３内に締付けバンド７が設置され、締付けバンド７の内側に金属性の環５がそい入る溝９を備えて成るコネクタ。」　　　
３．対比
　本件補正発明と刊行物１記載の発明を対比する。 
　刊行物１記載の発明における「レセプタクル」、「電源コード」は、それぞれ、本件補正発明における「コンセント」、「給電線」に相当する。
　したがって、両者の一致点及び相違点は、次のとおりである。　　　
　　　　　　　　　　　　　　
［一致点］
「ピン端子を備えるプラグと、上記ピン端子と電気的に接続されるコンセントとを着脱自在にさせて成るコネクタにて給電部分が構成されており、給電線の先部に配された上記コンセントが接続されることとなるプラグを配膳車本体に設けた配膳車。」
　
［相違点１］
　コネクタが、本件補正発明では、ピン端子を備えると共に取り付けケース内に収納配置されたプラグと、上記ピン端子の先端に接触する接触バネを備えたコンセントとを着脱自在に相互に磁着させて成るものであるのに対し、刊行物１記載の発明では、そのようなものではない点。
　　　　　　
［相違点２］
　本件補正発明では、コンセントが給電線及びこのコンセントを覆うようなカバーを有し、このカバーが、一端に給電線が挿通保持される給電線保持部を備えると共に、他端にコンセントが収納保持されるコンセント保持部を備えて主体が構成されており、上記給電線保持部の給電線挿通孔内に内方に向けて複数の突片が突出されているものであるのに対し、刊行物１記載の発明は、そのようなものではない点。　　
　　　　　　　　　　　　　　
［相違点３］
　本件補正発明では、給電線が挿通配置されたカバーの基端部の外周面に沿って凹設された凹所内に外面がカバーの外面と面一となるようにコードクリップが設置され、この内側にスペーサーが入れられる空間を備えて成るのに対し、刊行物１記載の発明は、そのようなものではない点。
　　
４．当審の判断
　上記相違点１〜３について検討する。　　
　　　　　　　　　　　　　　
（１）相違点１について
　刊行物２記載の発明を本件補正発明と対比すると、刊行物２記載の発明の「電源ピン２３及びアースピン２５」、「接触ばね１３及びアースばね１８」、「インレット９」は、それぞれ、本件補正発明における「ピン端子」、「接触バネ」、「コンセント」に相当する。
　したがって、刊行物２記載の発明は、次のように言い換えることができる。
　　
「ピン端子を備えたプラグと、上記ピン端子の先端に接触する接触バネを備えたコンセントとを着脱自在に磁着させて成るコネクタにて給電部分が構成された電源接続装置。」
　　
　また、電源接続装置においてプラグ等コネクタを構成する部材を取り付けケース内に収納配置させることは、周知の技術的事項である（例えば、実願平２−１１４４１３号（実開平４−７２４８４号）のマイクロフィルム、実開平６−７７６６６号公報、特開平３−２９２７３号公報　参照）。
　　
　そうしてみると、刊行物１記載の発明において、上記刊行物２記載の発明及び上記周知の技術的事項を適用して、上記相違点１に係る本件補正発明の発明特定事項を採用することは、当業者にとって格別の創作能力を要することなくなし得たことである。
　　　
（２）相違点２について
　刊行物３記載の発明を本件補正発明と対比すると、刊行物３記載の発明の「栓刃受け１１ｃを有するコネクタ本体部１１ｂ」、「電線コード２０」、「挿通筒部９」、「外殻キャップ部１１ａ」、「防水弁２ａ，２ｂ」、「巻装溝部９ａ」、「コードグリップ」は、それぞれ、本件補正発明における「コンセント」、「給電線」、「給電線保持部」、「コンセント保持部」、「突片」、「凹所」、「コードクリップ」に相当する。
　したがって、刊行物３記載の発明は、次のように言い換えることができる。　　　　
　　　　　　　　
「コンセントが給電線及びこのコンセントを覆うようなカバーを有し、このカバーが、一端に給電線が挿通保持される給電線保持部を備えると共に、他端にコンセントが収納保持されるコンセント保持部を備えて主体が構成されており、上記給電線保持部の給電線挿通孔内に内方に向けて複数の突片が突出されていると共に、給電線が挿通配置されたカバーの基端部の外周面に沿って凹設された凹所内にコードクリップが設置されたコネクタ。」　　　　　　　　　　　　　　　　　　　
　そうしてみると、刊行物１記載の発明において、上記刊行物３記載の発明を適用して、コンセントが給電線及びこのコンセントを覆うようなカバーを有し、このカバーが、一端に給電線が挿通保持される給電線保持部を備えると共に、他端にコンセントが収納保持されるコンセント保持部を備えて主体が構成されており、上記給電線保持部の給電線挿通孔内に内方に向けて複数の突片が突出されているようにすること、即ち、上記相違点２に係る本件補正発明の発明特定事項を採用することも、当業者にとって格別の創作能力を要することなくなし得たことである。　　
　　　　　　　　　　　　
（３）相違点３について
　刊行物４記載の発明を本件補正発明と対比すると、刊行物４記載の発明の「ゴムキャップ」、「導線Ｔ」、「導線挿入口４の頸部２」、「ゴムキャップ本体１」、「凹溝３」、「締付けバンド７」、「金属性の環５」、「環５がそい入る溝９」は、それぞれ、本件補正発明における「カバー」、「給電線」、「給電線保持部」、「コンセント保持部」、「凹所」、「コードクリップ」、「スペーサー」、「空間」に相当する。
　したがって、刊行物４記載の発明は、次のように言い換えることができる。　　　　
　　　　　　　　　　　　　
「コネクタを構成する部材を覆うようなカバーを有し、このカバーが、一端に給電線が挿通保持される給電線保持部を備えると共に、他端にコンセントが収納保持されるコンセント保持部を備えて主体が構成されており、給電線が挿通配置されたカバーの基端部の外周面に沿って凹設された凹所内にコードクリップが設置され、この内側にスペーサーが入れられる空間を備えて成るコネクタ。」　　
　　　　　　　　　　　　　　　　　　
　この刊行物４記載の発明を参酌すると、刊行物１記載の発明において、給電線が挿通配置されたカバーの基端部の外周面に沿って凹設された凹所にコードクリップが設置され、この内側にスペーサーが入れられる空間を備えて成る構成を採用することも、当業者にとって格別の創作能力を要することとはいえない。
　さらに、コードクリップとカバーの外面同士を面一として突出部分を無くす程度のことも、当業者が設計上適宜採用し得た技術的事項にすぎない。
　
　そうしてみると、刊行物１記載の発明において、上記相違点３に係る本件補正発明の発明特定事項を採用することも、上記刊行物４記載の発明を勘案すれば、当業者にとって格別の創作能力を要することなくなし得たことである。　　
　　　　　　　　　　　　　　
（４）以上から、本件補正発明の発明特定事項は、刊行物１記載の発明〜刊行物４記載の発明並びに上記周知の技術的事項に基づいて当業者が容易に案出し得たものである。
　しかも、本件補正発明の発明特定事項により、刊行物１記載の発明〜刊行物４記載の発明並びに上記周知の技術的事項から予期される以上の格別顕著な効果が奏されるということもできない。　　
　　　　　　　　　　　　　
　したがって、本件補正発明は、刊行物１記載の発明〜刊行物４記載の発明並びに上記周知の技術的事項に基づいて当業者が容易に発明をすることができたものであるから、特許法第２９条第２項の規定により特許出願の際独立して特許を受けることができないものである。　　
　　　　　　　　　　　　　　　　　
（５）むすび
　したがって、本件補正は、平成１８年改正前特許法第１７条の２第５項において準用する特許法第１２６条第５項の規定に違反するものであるから、平成１８年改正前特許法第１５９条第１項の規定において読み替えて準用する同法第５３条第１項の規定により却下すべきものである。
　
　　
第３　本願発明について
　平成１７年５月１９日付けの手続補正は上記のとおり却下されたので、本願の請求項５に係る発明（以下、同項記載の発明を「本願発明」という。）は、平成１６年１月１９日付け手続補正書の特許請求の範囲の請求項５に記載された事項により特定される、次のとおりのものである。　　
　　　　　　　　　　　　　
「プラグに設けられた接地極用のピン端子が最初に当たって開く傾斜部が扉に設けられていることを特徴とする請求項４記載のコネクタ。」　　
　　　　　　　　　
　また、請求項４には、　
　　　　　　　　　
「コンセントは外部と遮断する開閉自在な扉を備えていることを特徴とする請求項１記載のコネクタ。」　　
　　　　　　　　　
と、さらに、請求項１には、　　
　　　　　　　　
「ピン端子を備えると共に取り付けケース内に収納配置されたプラグと、上記ピン端子の先端に接触する接触バネを備えたコンセントとを着脱自在に相互に磁着させて成ることを特徴とするコネクタ。」　　
　　　　　　　
と、それぞれ記載されている。　　
　　
１．刊行物
（１）刊行物２
　刊行物２に記載された事項及び刊行物２に記載された発明は、既に「第２　２．（２）」に記載したとおりである。
　　
（２）刊行物５
　刊行物２と共に原査定の拒絶の理由に示された実公昭３７−１６６６９号公報（以下、「刊行物５」という。）には、図面と共に次の事項が記載されている。　　
　　　　　　　　　　　　　
タ．「以下図面により単相三線式の場合における本考案の一実施例について詳述すれば図において１は適宜電源杆２，３とアース杆４を備えかつアース杆４を電源杆２，３より一定長さ（ｌＰ）だけ長く設けて成る差込プラグ、５は差込プラグ１の電源杆２，３、アース杆４と接離するそれぞれの電源杆受端子金具６，７、アース杆受端子金具８を備えた接続栓基体で上部に電源杆受端子金具６，７、アース杆受端子金具８の両受口と対応する電源杆挿入孔９，１０、アース杆挿入孔１１を有する覆合板１２を上記電源杆受およびアース杆受両端子金具６，７，８の上面との間に開閉摺動板１３を介し止金１９にて固着したものである。」（第１頁右欄第２行〜第１４行）　　　　　　　　　　　　　　　　　　　　
チ．「開閉摺動板１３は覆合板１２のアース杆挿入孔１１に露出位置してアース杆受端子金具８を覆うごとき被動突子１４と覆合板１２の電源杆挿入孔９，１０に適応する挿入案内孔１５，１６を有し常時接続栓基体５の内壁との間に介装した撥条１７の撥力を受けて被動突子１４がアース杆受端子金具８の受口を閉塞し挿入案内孔１５，１６も同様に覆合板１２の電源杆挿入孔９，１０より変倚して電源杆受端子金具６，７を遮断するよう摺動自在に設けられる。」（第１頁右欄第１４行〜第２２行）　　
　　　　　　　　　　　　　
ツ．「差込プラグ１のアース杆４をアース杆受端子金具８の受口に押圧して該アース杆４を開閉摺動板１３のアース杆挿入孔１１に露出位置した被動突子１４の斜面を押圧することにより電源杆２，３と電源杆端子金具６，７とが未接続の状態において先ず最初にアース杆４とアース杆受端子金具１２とを接続せしめると同時にアース杆４の押圧による水平分力により開閉摺動板１３を摺動変位せしめて覆合板１２の電源杆挿入孔９，１０に開閉摺動板１３の挿入案内孔１５，１６を合致せしめ電源杆受端子金具６，７の覆合を解放し電源杆２，３と電源杆受端子金具６，７の接続を可能ならしめたものである。従ってアース杆４とアース杆受端子金具８を確実に接続した後に電源杆２，３と電源杆受端子金具６，７の接続が可能となり電源接続時における人体に対する電撃影響を皆無ならしめるものであり」（第２頁左欄第１３行〜第２９行）　　
　　　　　　　　　　　　　　　
　上記記載事項及び図面の記載内容からみて、刊行物５には次の発明が記載されていると認める。（以下、「刊行物５記載の発明」という。）　
　　　
「差込プラグ１と接続栓基体５とを着脱自在とした差込電気接続栓において、接続栓基体５には外部と遮断する開閉自在な開閉摺動板１３を備え、該開閉摺動板１３は、撥条１７により挿入孔９，１０，１１が閉じる方向に常時付勢されていると共に、差込プラグ１に設けられたアース杆４が最初に当たって開く斜面を有する被動突子１４が設けられた差込電気接続栓。」　　　　　　　　　　　　　　　　
２．対比
　本願発明と刊行物２記載の発明を対比すると、刊行物２記載の発明における「電源ピン２３及びアースピン２５」、「接触ばね１３及びアースばね１８」、「インレット９」は、それぞれ、本願発明における「ピン端子」、「接触バネ」、「コンセント」に相当する。
　したがって、上記両者の一致点及び相違点は、次のとおりである。　
　
［一致点］　　
「ピン端子を備えたプラグと、上記ピン端子の先端に接触する接触バネを備えたコンセントとを着脱自在に相互に磁着させて成るコネクタ。」
　　　
［相違点４］
　本願発明は、取り付けケース内に収納配置されたプラグを備えたのに対し、刊行物２記載の発明では、プラグが、取り付けケース内に収納配置されたものかどうか明らかでない点。　　
　　　　　　　　　　　　
［相違点５］
　本願発明では、コンセントは外部と遮断する開閉自在な扉を備え、プラグに設けられた接地極用のピン端子が最初に当たって開く傾斜部が該扉設けられているのに対し、刊行物２記載の発明は、そのような構成を具備しない点。　　
　　　　　　　　　　　　　　　　　
３．当審の判断
　上記相違点４，５について検討する。　　
　　　　　　　　　　　　
（１）相違点４について
　電源接続装置において、プラグ等コネクタを構成する部材を取り付けケース内に収納配置させることは、周知の技術的事項である（例えば、実願平２−１１４４１３号（実開平４−７２４８４号）のマイクロフィルム、実開平６−７７６６６号公報、特開平３−２９２７３号公報　参照）。
　そうしてみると、刊行物２記載の発明においてコネクタを構成する部材であるプラグを取り付けケース内に収納配置させる程度のことは、かかる周知の技術的事項を勘案して当業者が容易に想到し得たことである。
　したがって、刊行物２記載の発明において、上記相違点４に係る本願発明の発明特定事項を採用することは、当業者にとって格別の創作能力を要さずになし得たことである。　　
　　　　　　　　　　　　　
（２）相違点５について
　刊行物５記載の発明を本願発明と対比すると、刊行物５記載の発明の「差込プラグ１」、「接続栓基体５」、「差込電気接続栓」、「開閉摺動板１３」、「アース杆４」、「斜面を有する被動突子１４」は、それぞれ、本願発明における「プラグ」、「コンセント」、「コネクタ」、「扉」、「接地極用のピン端子」、「傾斜部」に相当する。　
　したがって、刊行物５記載の発明は、次のように言い換えることができる。　　　　
　　　　　　　　　　
「プラグと、コンセントとを着脱自在としたコネクタにおいて、コンセントには外部と遮断する開閉自在な扉を備え、該扉は撥条１７により挿入孔９，１０，１１が閉じる方向に常時付勢されていると共に、プラグに設けられた接地極用のピン端子が最初に当たって開く傾斜部が設けられたコネクタ。」　　　
　即ち、刊行物５記載の発明は、コネクタにおいて、「コンセントは外部と遮断する開閉自在な扉を備えている」構成及び「プラグに設けられた接地極用のピン端子が最初に当たって開く傾斜部が扉に設けられている」構成を具備したものといえる。
　そして、刊行物２記載の発明における「アースピン」は、本願発明における「接地極用のピン端子」に相当するものである。
　そうしてみると、刊行物５記載の発明の上記コネクタに関する構成を刊行物２記載の発明におけるコネクタに施して上記相違点４に係る本願発明の発明特定事項とすることも、当業者にとって格別の創作能力を要さずになし得たことである。　　
　　　　　　　　　　　　　　
（３）以上から、本願発明の発明特定事項は、刊行物２記載の発明、刊行物５記載の発明及び上記周知の技術的事項に基づいて当業者が容易に案出し得たものである。
　しかも、本願発明の発明特定事項により、刊行物２記載の発明、刊行物５記載の発明及び上記周知の技術的事項から予期される以上の格別顕著な効果が奏されるということもできない。　　
　　　　　　　　　　　　
　したがって、本願発明は、刊行物２記載の発明、刊行物５記載の発明及び上記周知の技術的事項に基づいて当業者が容易に発明をすることができたものである。　　
　　　　　　　　　　　　　　　　
４．むすび
　以上のとおりであるから、本願発明は、刊行物２記載の発明、刊行物５記載の発明及び上記周知の技術的事項に基づいて当業者が容易に発明をすることができたものであるので、特許法第２９条第２項の規定により特許を受けることができない。
　したがって、本願は、他の請求項について審理するまでもなく、拒絶すべきものである。　　
　　　　　　　　　　　　　　
　よって、結論のとおり審決する。